(57)【要約】  【課題】  簡便な方法によって、位置情報については誰でも簡単に把握でき、かつ画地若しくは道路の地下情報については特定の者以外に知られないようにする。  【解決手段】  撮影により得られた輝度分布データから抽出される二次元コードをデコードすることによって情報を取得できる二次元コードパターンを付すコード札であって、少なくとも、画地若しくは道路の位置情報と、画地若しくは道路の地下に関する地下情報と、位置情報および地下情報の内少なくとも地下情報のデコードを許可する暗号とをコード化した第１の二次元コードパターン１０と、位置情報をコード化した第２の二次元コードパターン１１とを有し、第１の二次元コードパターン１０および第２の二次元コードパターン１１を付した本体部３と、固定用の杭を挿入する挿入部２とからなるコード札１とする。【選択図】  図１
2005227526.tif 000002
【特許請求の範囲】
【請求項１】
撮影により得られた輝度分布データから抽出される二次元コードをデコードすることによって情報を取得できる二次元コードパターンを付すコード札であって、
少なくとも、画地若しくは道路の位置情報と、上記画地若しくは道路の地下に関する地下情報と、上記位置情報および上記地下情報の内少なくとも上記地下情報のデコードを許可する暗号と、をコード化した第１の二次元コードパターンと、
上記位置情報をコード化した第２の二次元コードパターンと、
を有し、
上記第１の二次元コードパターンおよび第２の二次元コードパターンを付した本体部と、
固定用の杭を挿入する挿入部と、
からなることを特徴とするコード札。
【請求項２】
前記挿入部を２つ有し、各挿入部を重ねるように前記本体部を折り返し可能な構造とし、その折り返した前記本体部の少なくとも片側本体部に、前記第１の二次元コードパターンおよび第２の二次元コードパターンを有することを特徴とする請求項２記載のコード札。
【請求項３】
前記地下情報は、地下に埋設されたガス管、上水道管、下水道管、電線、通信回線ケーブルまたは地下道に関する情報であることを特徴とする請求項１または２記載のコード札。
【請求項４】
前記位置情報によって表される地点を含む画地を特定する画地番号若しくは前記位置情報によって表される地点を含む道路を特定する道路番号を少なくとも含む建設関連情報を、さらに付していることを特徴とする請求項１から３のいずれか１項記載のコード札。
【請求項５】
前記第１の二次元コードパターンおよび前記第２の二次元コードパターンの各周囲に、それぞれ前記建設関連情報を配置していることを特徴とする請求項４記載のコード札。
【請求項６】
コード化されていない前記位置情報を記載した備考欄を有することを特徴とする請求項１から５のいずれか１項記載のコード札。
【請求項７】
前記備考欄に、前記第１の二次元コードパターンと前記第２の二次元コードパターンの利用方法の記載を含むことを特徴とする請求項６記載のコード札。
【発明の詳細な説明】
【技術分野】
【０００１】
本発明は、撮影により得られた輝度分布データから抽出される二次元コードをデコードすることによって情報を取得できる二次元コードパターンを付すコード札に関する。
【背景技術】
【０００２】
従来から、境界杭の明示標識板、検針メータの標識板などの屋外や屋内の設置物に取り付けられる位置表示プレートが知られている。たとえば、特許文献１には、プラスチックマットの両面に感圧型接着剤層を形成した感圧型接着シートの片面に、白色系のプラスチック板を接合し、この白色系のプラスチック板の表面に、位置や管理データーをドット状の明暗模様による二次元デジタルデーターコードで表示した表示面を形成した屋外用位置表示プレートが開示されている。
【０００３】
この屋外用位置表示プレートには、二次元デジタルコードとして境界杭の位置座標、隣接する境界杭の方向と距離などが入力されている。かかるプレートを、発電所の調整用用地、発電所や変電所の敷地、送電用鉄塔の敷地などの境界に設けられる境界杭に設けることにより、境界杭の明示標識板などの表示プレートが草で覆われて見えないような場所でも、隣接する境界杭の明示標識板が分かれば、境界杭の方向や距離などその位置を判別することができる。
【０００４】
また、この特許文献１に開示されるように、二次元デジタルデーターコードのパターン（以下、二次元コードパターンと記載する。）には、隣接する境界杭の方向などの情報をコード化することができる。
【０００５】
【特許文献１】特開平０９−１７９４９９号公報（特許請求の範囲、発明の詳細な説明、図２）
【発明の開示】
【発明が解決しようとする課題】
【０００６】
ところで、一般に、家屋あるいは道路をつくる場合、当該家屋あるいは道路の完成までの間に、建設業者、建築士、家主等の当該家屋に関わる人々が何度も足を運ぶ。このため、家屋を建てる画地あるいは道路をつくる予定地の場所を手軽に把握できるようにするのが望ましい。また、家屋を建てる画地あるいは道路をつくる予定地の場所には不特定多数の者が出入りできるので、その位置情報以外の重要な情報、特に、画地若しくは道路の地下の情報については、特定の者以外に知られないようにしておくことが望まれる。
【０００７】
しかし、上述の特許文献１に開示される発明では、位置情報をその場所に簡単に固定することはできない。また、家屋を建てる画地あるいは道路の地下に関する地下情報を二次元コードパターンにコード化していても、不特定多数の者に知られてしまう。このため、かかる地下情報を巧みに利用したテロをはじめとする種々の犯罪が起きやすくなる危険性もある。
【０００８】
本発明は、上述の問題に鑑みてなされたものであり、簡便な方法によって、位置情報については誰でも簡単に把握でき、かつ画地若しくは道路の地下情報については特定の者以外に知られないようにすることを目的とする。
【課題を解決するための手段】
【０００９】
上記課題を解決するため、本発明は、撮影により得られた輝度分布データから抽出される二次元コードをデコードすることによって情報を取得できる二次元コードパターンを付すコード札であって、少なくとも、画地若しくは道路の位置情報と、画地若しくは道路の地下に関する地下情報と、位置情報および地下情報の内少なくとも地下情報のデコードを許可する暗号とをコード化した第１の二次元コードパターンと、位置情報をコード化した第２の二次元コードパターンとを有し、第１の二次元コードパターンおよび第２の二次元コードパターンを付した本体部と、固定用の杭を挿入する挿入部とからなるコード札としている。ここで、地下情報とは、地下に埋設されているものの配置、経路、特性の他、地下の地質、水質等も含まれる。
【００１０】
このようなコード札を採用することにより、位置情報等を画地あるいは道路予定地に簡単に固定できる。特に、コード札に挿入部を設けているため、挿入部に杭を挿入して、その杭を地面に刺し込むことにより、簡単に画地あるいは道路予定地に位置情報を固定できることになる。加えて、第１の二次元コードパターンおよび第２の二次元コードパターンを本体部に記載しているので、画地等の地下にある地下情報を知る権原のある者は第１の二次元コードパターンを撮影して、位置情報に加えて地下情報を入手できる一方、非権原者は、第２の二次元コードパターンを撮影することにより、位置情報等の地下情報以外の情報のみを入手できる。
【００１１】
また、別の本発明は、先の発明において、挿入部を２つ有し、各挿入部を重ねるように本体部を折り返し可能な構造とし、その折り返した本体部の少なくとも片側本体部に、第１の二次元コードパターンおよび第２の二次元コードパターンを有するコード札としている。このため、コード札を長期間固定していても、破損する可能性を低減できる。特に、杭を挿入する挿入部を二重にしているため、コード札が杭の挿入部から破れる危険性を低減できる。
【００１２】
また、別の本発明は、先の発明において、地下情報を、地下に埋設されたガス管、上水道管、下水道管、電線、通信回線ケーブルまたは地下道に関する情報とするコード札としている。このため、特定の者以外の者は、画地若しくは道路の位置情報を知ることはできても、その地下に埋設されているガス管、上水道管、下水道管、電線、通信回線ケーブルまたは地下道の経路、太さ、容量といった情報を入手できない。したがって、地下を利用した犯罪を、さらに軽減できる。
【００１３】
また、別の本発明は、先の発明において、位置情報によって表される地点を含む画地を特定する画地番号若しくは位置情報によって表される地点を含む道路を特定する道路番号を少なくとも含む建設関連情報を、さらに付したコード札としている。このため、画地番号のような画地あるいは道路番号のような道路予定地において知りたい情報を、その場で目視により知ることができる。ここで、建設関連情報としては、例えば、画地に家屋を建てる建設会社、道路をつくる団体、認可した国若しくは地方公共団体の名称、家主、道路番号等が挙げられる。
【００１４】
また、別の本発明は、先の発明において、第１の二次元コードパターンおよび第２の二次元コードパターンの各周囲に、それぞれ建設関連情報を配置したコード札としている。このため、建設関連情報も把握したい場合に、少しズームダウインして撮影することにより、手軽に、位置情報と建設関連情報とを同時に撮影できる。
【００１５】
また、別の本発明は、先の発明において、コード化されていない位置情報を記載した備考欄を有するコード札としている。このため、現地に撮影手段がない場合であっても、現地にいる者は、カメラがなくても、最低限必要な画地あるいは道路予定地の位置情報を把握できる。
【００１６】
また、別の本発明は、先の発明において、備考欄に、第１の二次元コードパターンと第２の二次元コードパターンの利用方法の記載を含むコード札としている。具体的には、第１の二次元コードパターン、第２の二次元コードパターンの各位置、その特性、記述されている内容の種別、撮影および送信に必要な機器等が備考欄に記載されている。このため、コード札をはじめて見る者でも、容易に撮影して、位置情報を取得することができる。
【発明の効果】
【００１７】
本発明によれば、簡便な方法によって、位置情報については誰でも簡単に把握でき、かつ画地若しくは道路の地下情報については特定の者以外に知られないようにできる。
【発明を実施するための最良の形態】
【００１８】
以下、本発明の実施の形態に係るコード札について、図面に基づいて説明する。
【００１９】
図１は、本発明の実施の形態に係るコード札（一例として、シート状コード札）１を示す図である。
【００２０】
シート状コード札１は、当該シート状コード札１を固定するための固定用の杭を挿入する挿入部２と、本体部３とから構成されている。挿入部２は、中央に孔４を有する円形状を呈し、その下方のネック部２ａにて本体部３と連接している。また、シート状コード札１は、挿入部２と本体部３とからなる片側本体部６と、同じく挿入部２と本体部３とからなる片側本体部７とから構成されている。シート状コード札１は、各片側本体部６，７を分けている折り線（図１中の点線）５で折り返すことができる形状を有している。
【００２１】
片側本体部６，７を構成する各本体部３は、ネック部２ａから図１の下方に向かって徐々に太くなり、所定の箇所からほぼ同じ太さで伸びる略ロケット形状を呈している。
【００２２】
また、シート状コード札１は、防水紙で作られており、野外に固定されても、雨風に耐え得る。ただし、シート状コード札１は、防水紙以外の素材、例えば、厚紙、プラスチック、ステンレス若しくはアルミニウム等の金属類、またはセラミックスから作られていても良い。
【００２３】
片側本体部６の本体部３には、挿入部２側（図１の上方）から挿入部２と反対側（図１の下方）に向かって、順に、第１の二次元コードパターン１０、第２の二次元コードパターン１１および備考欄１２が付されている。第１の二次元コードパターン１０および第２の二次元コードパターン１１は、後述するように、少なくとも建築物を建てる画地の位置情報若しくは道路の位置情報をコード化した正方形の模様である。
【００２４】
第１の二次元コードパターン１０および第２の二次元コードパターン１１の周囲には、共に、位置情報によって表される場所に建設される建設物の画地番号あるいは道路の道路番号を少なくとも含む建設関連情報１３，１３が記載されている。このように、正方形の第１の二次元コードパターン１０および第２の二次元コードパターン１１の周囲に建設関連情報１３を配置しているため、各二次元コードパターン１０，１１に含まれている位置情報と共に建設関連情報１３を入手したい場合には、ユーザは、各二次元コードパターン１０，１１を撮影する際よりも若干ズームダウンして、建設関連情報１３をも含む範囲を撮影すれが良い。
【００２５】
図２は、各二次元コードパターン１０，１１とその周囲に配置された建設関連情報１３の部分を拡大して示す図である。
【００２６】
この実施の形態では、白色と黒色との二色が組み合わされた各二次元コードパターン１０，１１が採用されている。各二次元コードパターン１０，１１は、シールとしてシート状コード札１に貼られている。当該シールに、各二次元コードパターン１０，１１を構成する二色の内の一方のみが印刷されており、各二次元コードパターン１０，１１を構成する他方の色はシート状コード札１の色である。ただし、シールに各二次元コードパターン１０，１１を構成する二色を印刷し、白色および黒色以外の別の色のシート状コード札１にシールを貼っても良い。また、シールを使用せず、シート状コード札１に、直接、各二次元コードパターン１０，１１を印刷するようにしても良い。
【００２７】
各二次元コードパターン１０，１１には、建設物を建設する画地の場所を示す位置情報（正確には、シート状コード札１を固定する固定用の杭を刺す場所の位置情報）を含むデータを二次元コード化したものである。位置情報には、たとえば、水平方向の位置情報と、垂直方向の位置情報と、それら位置情報の基準に関する情報とがある。水平方向の位置情報としては、たとえば、緯度経度の値、住所あるいは地番などの情報が存在する。垂直方向の位置情報としては、標高、フロアの階数（地下を含む。）、基準面からの高さなどの情報が存在する。また、それら位置情報の基準に関する情報としては、たとえば緯度経度を水平方向の位置情報としている場合には、それが世界測地系での緯度経度の値であるのか、それ以外の測地系での緯度経度の値であるのかを示す情報や、測定基準点に関する情報などがある。
【００２８】
なお、水平方向の位置情報として住所などを利用する場合には、水平方向や垂直方向の位置情報の基準を誤って解釈する恐れが少ないので、位置情報の基準に関する情報は省略してもよい。また、位置情報は、水平方向の位置情報および垂直方向の位置情報の両方を備えているものに限られるものではなく、水平方向の位置情報のみあるいは垂直方向の位置情報のみを備えているものであってもよい。
【００２９】
各二次元コードパターン１０，１１には、たとえばバーコードのパターンなどと比べて多くの情報をコード化することができる。そのため、たとえば、画地の測量情報、画地を含む広域の情報、画地周辺の設備あるいは施設の情報などを、位置情報とともに各二次元コードパターン１０，１１にコード化してもよい。上述の測量情報としては、たとえば、区域の境界、地形、面積、測量日、画地番号、点名などが挙げられる。
【００３０】
各二次元コードパターン１０，１１には、Ｃｏｄｅ４９、ＰＤＦ４１７などのスタック型の二次元コードと、Ｖｅｒｉコード、データ・マトリックス、ＱＲ（Ｑｕｉｃｋ  Ｒｅｓｐｏｎｓｅ）コード、マイクロＱＲコードなどのマトリックス型の二次元コードとがある。ＱＲコードには、パターンの３０％が汚れていたり、欠損していたりしたとしても、データを復元することができる特徴があり、本発明に用いる二次元コードとして好適である。
【００３１】
第１の二次元コードパターン１０と第２の二次元コードパターン１１とは、上述のような画地あるいは道路の位置情報をコード化している点で共通しているが、次の点で相違する。
【００３２】
第１の二次元コードパターン１０には、画地若しくは道路の地下に関する地下情報と、位置情報および地下情報のデコードを許可する暗号とが含まれている。このため、後述のカメラ付き携帯電話を使用して第１の二次元コードパターン１０を撮影した後、撮影した第１の二次元コードパターン１０に含まれる情報をデコードする際には、暗号を入力する必要がある。正規の暗号を受け付けた場合にのみ、当該デコードが実行される。第１の二次元コードパターン１０にコード化されている地下情報は、地下に埋設されたガス管、上水道管、下水道管、電線、通信回線ケーブルまたは地下道に関する情報等が挙げられるが、これら以外の地下情報として、地下の地質、水質等の情報も採用できる。
【００３３】
一方、第２の二次元コードパターン１１には、画地若しくは道路の地下に関する地下情報と、当該位置情報のデコードを許可する暗号は含まれていない。このため、カメラ付き携帯電話を使用して第２の二次元コードパターン１１を撮影した後、撮影した第２の二次元コードパターン１１に含まれる位置情報をデコードする際には、暗号を入力しなくても当該デコードを実行することができる。
【００３４】
このように、画地若しくは道路の位置情報と、画地若しくは道路の地下に関する地下情報と、暗号とをコード化した第１の二次元コードパターン１０と、位置情報のみをコード化した第２の二次元コードパターン１１とをシート状コード札１に貼り付けているので、画地等の地下にある地下情報を知る権原のある者は第１の二次元コードパターン１０を撮影して、位置情報に加えて地下情報を入手できる一方、非権原者は、第２の二次元コードパターン１１を撮影することにより、位置情報等の地下情報以外の情報のみを入手できる。
【００３５】
また、各二次元コードパターン１０，１１の周囲には、建設関連情報１３が配置されている。当該建設関連情報１３についても、各二次元コードパターン１０，１１と同様、シールに印刷されて、シート状コード札１に貼られている。ただし、直接、建設関連情報１３をシート状コード札１に印刷しても良い。図２に示すように、各二次元コードパターン１０，１１の周囲には、建設関連情報１３として、位置情報によって表される画地の番号（画地番号）１３ａ、画地に家屋を建てる建設会社の名称１３ｂ、当該建設会社の下請け企業の名称１３ｃおよび認可管轄主体の名称（国若しくは地方公共団体の名称の場合もある。）１３ｄが配置されている。
【００３６】
かかる建設関連情報１３をシート状コード札１に付しておくことにより、現場で確認する頻度が多く、かつ秘密性の低い情報については現場で目視によりすぐに確認できるというメリットがある。全ての情報を各二次元コードパターン１０，１１にコード化してしまうと、カメラ撮影および情報のデコード化という手順を踏まないと把握できず、不便な場合もあるからである。
【００３７】
なお、建設関連情報１３として、道路の道路番号、道路をつくる団体、それを認可した認可管轄主体の名称（国若しくは地方公共団体の名称の場合もある。）を採用することもできる。
【００３８】
図３は、各二次元コードパターン１０，１１をデコードして得られる情報の一例を示す図である。
【００３９】
図３に示すように、ユーザは、各二次元コードパターン１０，１１をデコードすることによって、画地に固定されているシート状コード札１の固定位置のＸ，Ｙ（水平方向）の座標と、その座標系に関する情報と、画地番号と、計測日という情報（図中のＰで示す情報）を得ることができる。なお、画地以外に、道路の建設予定地に固定されるシート状コード札１の場合には、ユーザは、画地番号ではなく、その道路を特定する道路番号を得ることができる。なお、画地番号あるいは道路番号は、各二次元コードパターン１０，１１の周囲に明記されている場合あるいは明記されていない場合を問わず、各二次元コードパターン１０，１１に含めなくても良い。ただし、各二次元コードパターン１０，１１の周囲に画地番号あるいは道路番号が明記されていない場合には、各二次元コードパターン１０，１１にコード化されている情報に含める方が好ましい。
【００４０】
第１の二次元コードパターン１０をデコードすると、第２の二次元コードパターン１１をデコードした場合と異なり、図３のＰで示す情報以外に、地下情報として、画地若しくは道路の地下に埋設されたガス管、上水道管、下水道管、電線、通信回線ケーブルまたは地下道に関する情報（図中のＱで示す情報）が得られる。なお、地下の地質、水質等の地下情報が得られるようにしても良い。
【００４１】
図４は、備考欄１２の一例を示す図である。
【００４２】
図４に示すように、備考欄１２には、各二次元コードパターン１０，１１にコード化されている情報に含まれる画地あるいは道路等の位置情報を含む非コード化情報１４と、シート状コード札１の使用方法１５とが記載されている。非コード化情報１４は、画地あるいは道路等の位置情報を含んでいるため、カメラ付き携帯電話を所持していない場合であっても、現場の画地あるいは道路等の位置情報を目視によって把握できる。
【００４３】
また、備考欄１２にシート状コード札１の使用方法１５が記載されているため、シート状コード札１をはじめて見る者でも、容易に、各二次元コードパターン１０，１１を撮影し、位置情報を含む情報を取得できる。
【００４４】
図５は、シート状コード札１を画地２０に固定した状態の一例を示す図（５Ａ）および５ＡのＸで示す箇所においてシート状コード札１を固定する様子を拡大して示す図（５Ｂ）である。
【００４５】
図５（５Ａ）に示すように、シート状コード札１は、画地２０の４つ角に、それぞれ１つづつ固定されている。シート状コード札１は、固定用の杭２１を挿入部２にあけられた孔４に通して、そのまま地面に突き刺すことによって画地２０の角に固定されている。より具体的には、シート状コード札１は、図１に示す折り線５から折り返して片側本体部６，７を合わせた状態にして、二重になった挿入部２，２の孔４，４に固定用の杭２１を通す要領にて画地２０に固定される。なお、シート状コード札１は、画地２０の角以外の場所に固定されても良い。
【００４６】
このように、シート状コード札１における二重の挿入部２，２に固定用の杭２１を刺してシート状コード札１を固定することによって、シート状コード札１が固定用の杭２１から裂ける危険性を低減できる。また、本体部３も二重になっているので、本体部３自体の破損の危険性も低減できる。なお、挿入部２，２が裂ける危険性をより確実にするために、孔４の内周に補強用のシールを貼ったり、ネック部２ａにテープを貼って補強しても良い。
【００４７】
図６は、カメラ付き携帯電話２２のユーザがシート状コード札１の第１の二次元コードパターン１０を撮影する様子を示す図である。
【００４８】
図６に示すように、ユーザは、シート状コード札１の真上方向からカメラ付き携帯電話２２のＣＣＤ（Ｃｈａｒｇｅ  Ｃｏｕｐｌｅｄ  Ｄｅｖｉｃｅ）カメラ２３で、第１の二次元コードパターン１０を撮影する。なお、ユーザは、液晶モニタ２４に表示される画像を見ながら、第１の二次元コードパターン１０が撮影領域内におさまることを確認してから撮影を実行する。
【００４９】
この際、ユーザは、第１の二次元コードパターン１０のみならず、その周囲に配置される建設関連情報１３も撮影したい場合には、ズームダウンをして建設関連情報１３も一緒に撮影することができる。
【００５０】
図７は、カメラ付き携帯電話２２の内部構成の一例を示すブロック図である。
【００５１】
カメラ付き携帯電話２２は、ＣＣＤカメラ２３と、液晶モニタ２４と、デコード部３１と、電話部３２と、制御部３３とを有している。ＣＣＤカメラ２３は、複数の受光素子が二次元的に配列されたものであり、複数の受光素子の配列に基づいて輝度分布データを生成する。デコード部３１は、二次元コードパターンを抽出し、抽出した二次元コードパターンをデコードする部分である。この際、暗号の入力が必要な場合には、デコード部３１は、正規の暗号の入力を条件にデータのデコードを実行する。また、液晶モニタ２４は、デコード部３１によりデコードされたデータを表示する部分である。
【００５２】
電話部３２は、デコードされたデータの送信および後述の地図データの受信と、音声による通常の通話とを可能とする構成部である。制御部３３は、他の構成部を制御し、データの送受信、コマンドの送信を行う部分である。
【００５３】
ユーザがカメラ付き携帯電話２２の撮影ボタン（図示省略）を押すと、ＣＣＤカメラ２３は、二次元コードパターンを含んだ輝度分布データを生成する。次に、デコード部３１は、輝度分布データから二次元コードパターンを抽出し、抽出した二次元コードパターンにコード化されたデータをデコードする。ユーザが第１の二次元コードパターン１０を撮影した場合には、デコード部３１は、デコードに先立ち、暗号の入力を求める画面を、液晶モニタ２４に表示させる。ユーザが正規の暗号を入力した場合には、それを条件にデータのデコードが実行される。次に、液晶モニタ２４は、そのデコードされたデータを表示する。一方、正規の暗号が入力されない場合には、デコード部３１は、デコードを実行せず、暗号が異なる旨のメッセージを液晶モニタ２４に表示させる。
【００５４】
また、ユーザが第２の二次元コードパターン１１を撮影した場合には、デコード部３１は、デコードを実行し、デコードされたデータを液晶モニタ２４に表示させる。
【００５５】
以上より、カメラ付き携帯電話２２を使用するユーザは、各二次元コードパターン１０，１１にコード化されていた位置情報、例えば、シート状コード札１を固定している位置のＸ，Ｙ（水平方向）の座標と、その座標系に関する情報と、画地番号と、計測日とを得ることができる。また、第１の二次元コードパターン１０を撮影した場合には、前述の地下情報をも得ることができる。
【００５６】
なお、位置情報を得るシステムとしては、ＧＰＳ（Ｇｌｏｂａｌ  Ｐｏｓｉｔｉｏｎｉｎｇ  Ｓｙｓｔｅｍ）が広く利用されているが、ＧＰＳでは、４つの衛星を捕捉できないと正確な位置を知ることができない。また、４つの衛星を捕捉できたとしても、約１０ｍ程度の位置の誤差は残ってしまう。これに対して、二次元コード化した位置情報をその位置に固定しておくことによって正確な位置情報を提供することができる。
【００５７】
また、シート状コード札１の大きさは、本体部３の全長を９０〜１００ミリ、その内、ネック部２ａから本体部３に向かって徐々に太くなる部分の長さを１０〜２０ミリ、ネック部２ａから挿入部２の端部までの長さを２０〜３０ミリ、本体部３の幅方向の長さを３０〜５０ミリ、厚さを０．１〜２．０ミリとしている。したがって、シート状コード札１は、持ち運びに便利で、これを画地あるいは道路に固定しようとする作業者のポケットにも入る。さらに、シート状コード札１は、薄いので、多くの枚数を持ち運ぶこともできる。ただし、シート状コード札１の大きさは、上述の寸法に限定されず、種々の大きさのものを採用できる。
【００５８】
図８は、カメラ付き携帯電話２２にてデコードされた位置情報に基づいて画地の正確な場所を記した地図データを取得する方法を説明するための図である。また、図９は、カメラ付き携帯電話２２の液晶モニタ２４において表示される地図の一例であって、通常の縮尺で表示された例（９Ａ）と拡大表示された例（９Ｂ）とを示す図である。
【００５９】
ユーザが、カメラ付き携帯電話２２にてデコードされた位置情報の送信ボタン（図示省略）を押すと、それをトリガに、当該位置情報が最寄りの基地局３５に送られ、インターネット等に代表される通信回線網に入り、サーバ３７に送られる。サーバ３７内には、位置情報に応じた地図データを格納した地図データ格納部３８が設けられており、カメラ付き携帯電話２２に向けて、送られてきた位置情報に応じた地図データを送信する。
【００６０】
地図データを受信したカメラ付き携帯電話２２の液晶モニタ２４には、図９（９Ａ）に示すような地図が表示される。当該地図には、サーバ３７に向けて送信された位置情報により特定される地点３９に、星印が表示されている。また、図９（９Ａ）に示す画面を拡大すると、液晶モニタ２４の画面は図９（９Ｂ）に示す画面に切り替わる。図９（９Ｂ）に示す画面では、図９（９Ａ）に示す画面よりも、正確な地点３９ａに星印が表示されている。地点３９は、一辺が５メートル×１０メートルの画地に分割されているが、各二次元コードパターン１０，１１に含まれている位置情報はＧＰＳにより得られる位置情報より正確である。このため、拡大表示により、地点３９ａを表示させることができる。
【００６１】
以上、本発明の実施の形態につき説明したが、本発明は上述の実施の形態に限定されることなく、種々の変形を施した実施の形態にて実現可能である。
【００６２】
例えば、上述の実施の形態では、コード札は、図１に示すように折り線５から折り返す形状を有しているが、図１０に示すシート状コード札１のように、挿入部２同士の接続部４０から、片側本体部６と片側本体部７とを重ねるように折り返すことができる形状を採用しても良い。
【００６３】
また、上述の実施の形態では、片側本体部６にのみ、各二次元コードパターン１０，１１、備考欄１２および建設関連情報１３を付しているが、本発明は、かかる形態にも限定されない。例えば、片側本体部６と片側本体部７の両方に、各二次元コードパターン１０，１１、備考欄１２および建設関連情報１３を付しても良い。また、片側本体部６に第１の二次元コードパターン１０とその周囲の建設関連情報１３を付し、片側本体部６に第２の二次元コードパターン１０とその周囲の建設関連情報１３を付し、備考欄１２を片側本体部６若しくは片側本体部７の少なくともいずれか一方に付すようにしても良い。
【００６４】
また、シート状コード札１を二重に折らずに、片側本体部６のみからなる形態を採用しても良い。かかる場合、シート状コード札１の厚みを大きくして、その破損を防止する手段を講じる必要があるが、防水紙のような紙ではなく、アルミニウム等の金属あるいはプラスチックで製造することにより、片側本体部６のみでも十分耐久性のあるコード札を実現できる。なお、コード札の形状は、シート状コード札１のように薄いシート形状のものに限定されず、もっと立体的な形状（例えば、ブロック形状）であっても良い。
【００６５】
また、本発明は、図１１に示すように、第１の二次元コードパターン１０と、建設関連情報１３と、備考欄１２とを配置したコード札１であっても良い。
【００６６】
図１１に示すコード札１は、１つの用紙５０に複数枚記載されている。各コード札１は、端部に、折り線５１から折り返して固定用の杭２１を突き刺す固定部分（挿入部の下位概念）５２を有している。また、第１の二次元コードパターン１０は、固定部分５２に隣接して配置されている。建設関連情報１３と備考欄１２は、第１の二次元コードパターン１０の固定部分５２と反対側に隣接して、それぞれ上下に配置されている。この種のコード札１を画地等に固定する場合には、用紙５０からコード札１を切り離して、折り線５１から端部を折り返して形成された固定部分５２に固定用の杭２１を突き刺し、コード札１の画地への固定が行われる。
【００６７】
また、備考欄１２に、第１の二次元コードパターン１０と第２の二次元コードパターン１１の配置位置を載せても良い。両二次元コードパターン１０，１１の大きさが同一である場合、ユーザがどちらの二次元コードパターンを撮影して良いか迷う場合がある。かかる場合に、備考欄１２を参照することにより、迷わずに一方を撮影できる。また、備考欄１２に、非コード化情報１４を記載していなくても良い。
【００６８】
また、第１の二次元コードパターン１０と第２の二次元コードパターン１１とを同じ大きさとせずに、いずれか一方の大きさを他方の大きさより小さくしたり、形状を変えたり、色を変えたりすることによって、備考欄１２を参照しなくても、一目で、どちらの二次元コードパターンかを見分けられるようにしても良い。
【００６９】
また、第１の二次元コードパターン１０と第２の二次元コードパターン１１とを同じ大きさとして、各周囲に記載される建設関連情報１３の文字の大きさ、色、自体等を変えることにより、見分けることができるようにしても良い。
【００７０】
また、建設関連情報１３は、必ずしも各二次元コードパターン１０，１１の周囲に配置されなくても良い。例えば、建設関連情報１３を、両二次元コードパターン１０，１１を囲むように配置しても良い。さらに、建設関連情報１３を、備考欄１２のように、二次元コードパターン１０，１１に隣接して配置しても良い。
【００７１】
また、建設関連情報１３および備考欄１２は、シート状コード札１に必須の事項ではなく、両二次元コードパターン１０，１１のみを付したものを採用しても良い。また、両二次元コードパターン１０，１１と、建設関連情報１３若しくは備考欄１２のいずれか一方とを付したシート状コード札１を採用しても良い。
【００７２】
さらに、第１の二次元コードパターン１０、第２の二次元コードパターン１１、備考欄１２および建設関連情報１３を載せる場合であっても、挿入部２の方向から本体部３に向かって、任意の順番にて配置することができる。例えば、図１に示す配置の内、備考欄１２を、第１の二次元コードパターン１０と第２の二次元コードパターン１１との間に配置することもできる。このような配置にすると、第１の二次元コードパターン１０と第２の二次元コードパターン１１との距離が強制的に離されるため、一方の二次元コードパターン１０（１１）を撮影する場合に、誤って、他方の二次元コードパターン１１（１０）も一緒に撮影してしまうという危険性を低減できる。
【００７３】
なお、第１の二次元コードパターン１０および第２の二次元コードパターン１１の大きさが、片側本体部６（あるいは７）の大きさに比べて非常に小さい場合には、備考欄１２を挟むように配置しなくても、一方の二次元コードパターン１０（１１）の撮影時に、他方の二次元コードパターン１１（１０）を一緒に撮影してしまう危険性を回避できる。
【００７４】
また、シート状コード札１を２つ折りにする場合、二次元コードパターン１０，１１の面を内側にするように折って、シート状コード札１を固定するようにしても良い。また、シート状コード札１を３つ折りに折ってから固定用の杭２１で固定するようにしても良い。
【００７５】
また、シート状コード札１を撮影するカメラ付き携帯電話２２に代えて、カメラ付きのノートパソコンを使用して、撮影、データのデコード、外部への通信を実行するようにしても良い。
【００７６】
また、上述の実施の形態では、第１の二次元コードパターン１０の撮影後に暗号の入力を条件にデコードする情報は、画地若しくは道路の位置情報とその地下に関する地下情報の両情報としているが、地下情報のみとしても良い。すなわち、位置情報を、暗号を入力しなくてもデコードできるようにしても良い。
【産業上の利用可能性】
【００７７】
本発明に係るコード札は、画地、道路に固定する位置情報提供手段として、建設業界等において有効に利用できる。
【図面の簡単な説明】
【００７８】
【図１】本発明の実施の形態に係るコード札を示す図である。
【図２】図１に示すコード札における各二次元コードパターンとその周囲に配置された建設関連情報の部分を拡大して示す図である。
【図３】図１に示すコード札における各二次元コードパターンをデコードして得られる情報の一例を示す図である。
【図４】図１に示すコード札における備考欄の一例を示す図である。
【図５】図１に示すコード札を画地に固定した状態の一例を示す図（５Ａ）および５ＡのＸで示す箇所においてコード札を固定する様子を拡大して示す図（５Ｂ）である。
【図６】カメラ付き携帯電話のユーザが、図１に示すコード札の第１の二次元コードパターンを撮影する様子を示す図である。
【図７】図６に示すカメラ付き携帯電話の内部構成の一例を示すブロック図である。
【図８】図７に示すカメラ付き携帯電話にてデコードされた位置情報に基づいて画地の正確な場所を記した地図データを取得する方法を説明するための図である。
【図９】図７に示すカメラ付き携帯電話の液晶モニタにおいて表示される地図の一例であって、通常の縮尺で表示された例（９Ａ）と拡大表示された例（９Ｂ）とを示す図である。
【図１０】図１に示すコード札と折り方の異なるコード札の一例を示す図である。
【図１１】本発明の別の形態のコード札の一例を示す図である。
【符号の説明】
【００７９】
１  シート状コード札（コード札）
２  挿入部
３  本体部
６  片側本体部
７  片側本体部
１０  第１の二次元コードパターン
１１  第２の二次元コードパターン
１２  備考欄
１３  建設関連情報
２１  固定用の杭
５２  固定部分（挿入部の下位概念）
【図１】
2005227526.tif 000003
【図２】
2005227526.tif 000004
【図３】
2005227526.tif 000005
【図４】
2005227526.tif 000006
【図５】
2005227526.tif 000007
【図６】
2005227526.tif 000008
【図７】
2005227526.tif 000009
【図８】
2005227526.tif 000010
【図９】
2005227526.tif 000011
【図１０】
2005227526.tif 000012
【図１１】
2005227526.tif 000013